(57)【特許請求の範囲】
【請求項１】
ミルクを集めるレシーバー内を介して一端が互いに連通されたミルク搬送用のミルク通路及びサブミルク通路と、該サブミルク通路の他端に一端が連結された洗浄液搬送用の洗浄液通路と、該洗浄液通路の他端と前記ミルク通路の他端とを連結する連結通路と、洗浄液が貯留された槽内と前記洗浄液通路の一端とを連結する送液通路であって、槽内の洗浄液を前記洗浄液通路に送り込むための送液通路と、該送液通路と洗浄液通路とサブミルク通路との連結箇所に備えた三方切替え弁であって、前記サブミルク通路を閉じると共に、前記洗浄液通路と送液通路とを連通させたり、又は前記送液通路を閉じると共に、前記洗浄液通路とサブミルク通路とを連通させたりする三方切替え弁と、前記レシーバー内底部に溜まったミルクをミルク保存用のクーラーに移送したり、又は前記レシーバー内底部に溜まった洗浄液を前記槽内に移送したりする移送手段と、前記連結通路と洗浄液通路との連結箇所に備えた開閉絞り弁であって、連結通路と洗浄液通路との連結箇所を閉じたり、連結通路と洗浄液通路との連結箇所の開口度を広狭に調整したりする開閉絞り弁と、前記レシーバー内の気体を吸引する吸引手段と、搾乳ユニットと前記ミルク通路とを連結する第１サブ通路と、前記搾乳ユニットが着脱可能に装填されたティートカップウオッシャーと前記洗浄液通路とを連結する第２サブ通路と、該第２サブ通路を開閉する開閉弁とを備えたことを特徴とするパーラー用ミルカー。
【請求項２】
送液通路に外気を間欠的に送り込むエアーインジェクタであって、送液通路からミルク通路に送り込む洗浄液をプラグ流とするエアーインジェクタを備えた請求項１記載のパーラー用ミルカー。
【請求項３】
開閉絞り弁に代えて、連結通路と洗浄液通路との連結箇所を開閉したり、連結通路と洗浄液通路との連結箇所の開口度を広狭に調整したりするサブ三方切替え弁を連結通路と洗浄液通路との連結箇所に備えて、該サブ三方切替え弁の２つの通路口を連結通路の端部と洗浄液通路の端部とに連結すると共に、サブ三方切替え弁の残りの１つの通路口にサブ三方切替え弁内を循環する洗浄液をプラグ流とするエアーインジェクタであって、サブ三方切替え弁内を循環する洗浄液に外気を間欠的に送り込むエアーインジェクタを備えた請求項１又は２記載のパーラー用ミルカー。
【発明の詳細な説明】
【０００１】
【発明の属する技術分野】
本発明は、パーラー内に収容した牛等の乳房からミルクを搾り取って、そのミルクを、同じパーラ内に設置されたレシーバー内に集めるパーラー用ミルカーに関する。
【０００２】
【従来の技術】
パーラー用ミルカーは、一般に、図３に示したような構造をしている。
このミルカーは、ミルク搬送用のミルク通路１０が、レシーバー２０内を介して、パーラー内にループ状に配設されている。レシーバー２０から最も遠いミルク通路部分１０ｂは、高位置に配置され、レシーバー２０は、低位置に配置されている。そして、ループ状をしたミルク通路１０が、上記の高位置に配置されたミルク通路部分１０ｂからレシーバー２０に向けて所定の勾配を持たせて二股状に分岐させて配置されている。そして、ミルク通路１０に流入したミルクが、重力作用を受けて、上記の二股状に分岐したミルク通路１０を二手に分散してレシーバー２０内に流れ込むように構成されている。ミルク通路１０の中途部には、搾乳ユニット３０が、第１サブ通路４０を介して、連結されている。ミルク通路１０の近くには、洗浄液６０を搬送するための洗浄液通路５０が、ミルク通路１０に並べて配設されている。洗浄液通路５０の一端は、洗浄液６０が貯留された槽７０内に挿入されている。洗浄液通路５０の中途部には、ティートカップウオッシャー８０が、第２サブ通路９０を介して、連結されている。ティートカップウオッシャー８０には、搾乳ユニット３０が着脱自在に装填されている。
【０００３】
このミルカーを用いて、搾乳を行う場合には、搾乳ユニット３０をティートカップウオッシャー８０から離脱させて、搾乳ユニット３０のティートカップを牛等の乳房に装着している。次いで、真空ポンプ等の吸引手段１００を用いて、レシーバー２０内の空気等の気体を吸引し続けている。そして、搾乳ユニット３０に吸引力を発生させて、搾乳ユニット３０を用いて乳房からミルクを搾り取っている。そして、そのミルクを、第１サブ通路４０、ループ状のミルク通路１０を通して、レシーバー２０内に流入させている。
【０００４】
その際には、ミルク通路１０に流入したミルクを、高位置に配置されたミルク通路部分１０ｂから二股状に分岐したミルク通路１０を二手に分散させてレシーバー２０内に流入させている。そして、ミルク通路１０の容積を充分に確保して、ミルク通路１０に、サージタンク的な役割を持たせている。そして、前記の二股状に分岐したミルク通路１０をミルクが二手に分散して重力作用を受けてレシーバー２０方向に円滑に流れるようにしたり、ミルク通路１０の下流側に接続された搾乳ユニット３０からミルク通路１０内にミルクが空気と共に抵抗少なく円滑に流入できるようにしたり、搾乳ユニット３０からミルク通路１０内にミルクと共に流入した空気がミルクと分離してミルク通路１０内の上部等を円滑に流通して、ミルク通路１０内の気圧がほぼ均等化されるようにしたりしている。
【０００５】
レシーバー２０内底部に溜まったミルクは、移送手段１１０を用いてミルク保存用のクーラー１２０に移送している。そして、該クーラー１２０に保存している。
【０００６】
ミルクが通過するミルク通路１０、搾乳ユニット３０等を洗浄する場合には、搾乳ユニット３０をティートカップウオッシャー８０に装填している。そして、洗浄液通路５０とレシーバー２０近くのミルク通路部分１０ｃとを連結している第３サブ通路１３０に備えられた第１開閉バルブ１４０を開口させている。それと共に、第２開閉バルブ１５０を操作して、第３サブ通路１３０とミルク通路１０との連結箇所よりレシーバー２０側に近いミルク通路部分１０ｄの開口状態を狭めている。次いで、吸引手段１００を用いてレシーバー２０内の気体を吸引し続けている。そして、ミルク通路１０及び第３サブ通路１３０を通して、洗浄液通路５０に吸引力を発生させている。そして、槽７０内の洗浄液６０を洗浄液通路５０に吸い上げて、その洗浄液６０を、第２サブ通路９０、ティートカップウオッシャー８０内、搾乳ユニット３０内、第１サブ通路４０、ミルク通路１０を通して、レシーバー２０内へと循環させている。洗浄液通路５０に吸い上げた洗浄液６０の一部は、第３サブ通路１３０に連なるミルク通路１０の立ち上がり部１０ａから、第２開閉バルブ１５０により開口状態を狭めたミルク通路部分１０ｄを通して、レシーバー２０内へと循環させている。そして、ミルクが流れる搾乳ユニット３０、第１サブ通路４０、ミルク通路１０を、洗浄液６０により洗浄している。
【０００７】
その際には、第３サブ通路１３０に備えられたエアーインジェクタ２１４を作動させて、外気を第３サブ通路１３０に間欠的に送り込んでいる。そして、第３サブ通路１３０に連なるミルク通路１０の立ち上がり部１０ａに滞留する洗浄液６０を、プラグ流としている。そして、そのプラグ流とした洗浄液６０をミルク通路１０を循環させて、ミルク通路１０の内壁をその上部等をも余すところなく完璧に洗浄している。
【０００８】
ここで、洗浄液６０をプラグ流とするとは、パイプ状をした通路を流れる洗浄液６０を外気で間欠的に押圧して、通路を流れる洗浄液６０を次々と通路内一杯に大きな塊状とすることをいう。このような、プラグ流とした洗浄液６０を通路に流せば、その大塊状となった洗浄液６０により、通路の内壁をその上部等をも余すところなく完璧に洗浄できる。そして、洗浄液６０が通路の内壁の上部等に行き渡らずに、通路内壁の上部等が未洗浄状態となるのを、防ぐことができる。
【０００９】
また、槽７０近くの洗浄液通路５０にも、エアーインジェクタ２２０を備えている。そして、ミルク通路１０、搾乳ユニット３０等を洗浄する際に、エアーインジェクタ２２０を作動させて、洗浄液通路５０に外気を間欠的に送り込んでいる。そして、槽７０内から洗浄液通路５０に流れ込む洗浄液６０の量を少なく抑えている。そして、槽７０内の洗浄液６０が洗浄液通路５０に過度に吸い上げられて、槽７０内の洗浄液６０が空となるのを、防いでいる。
【００１０】
レシーバー２０内底部に溜まった洗浄に用いた洗浄液６０は、移送手段１１０を用いて、槽７０内に戻している。そして、その洗浄液６０を繰り返し洗浄に用いている。
【００１１】
ミルカーに、搾乳機構に加えて、上記の洗浄機構を備えて、ミルクが通過するミルク通路１０、搾乳ユニット３０等を洗浄している理由は、牛等の乳房から搾り取ったミルクに雑菌が混入することが、極度に嫌われるからである。そのため、搾乳の際には、その前後等に、上記のようにして、ミルクを流すミルク通路１０、搾乳ユニット３０等を完璧に洗浄している。
【００１２】
【発明が解決しようとする課題】
しかしながら、上記のミルカーにおいては、ループ状のミルク通路１０に加えて、洗浄液通路５０をミルク通路１０に並べて備える必要があった。また、洗浄液通路５０をミルク通路１０に連結するための第３サブ通路１３０、該通路を開閉するための第１開閉バルブ１４０等を備える必要があった。そのため、その配管構造が複雑大掛かりとなって、その製造に多大な手数と時間を要した。また、そのメンテナンスにも、多大な手数と時間を要した。
【００１３】
また、上記のミルカーにおいて、ミルク通路１０を二股状とせずに一本化して、その配管構造を簡易化、小型化した場合には、ミルク通路１０のサージタンク的な役割が失われてしまった。そして、ミルク通路１０をミルクがレシーバー２０方向に円滑に流れなくなったり、ミルク通路１０の下流側に接続された搾乳ユニット３０からミルク通路１０内にミルクが空気と共に抵抗少なく円滑に流入できなくなったり、搾乳ユニット３０からミルク通路１０内にミルクと共に流入した空気がミルクと分離してミルク通路１０内の上部等を円滑に流通できずに、ミルク通路１０内の気圧が不均等となったりしてしまった。
【００１４】
本発明は、このような課題を解消可能な、ミルク通路の一部を洗浄液通路に兼用させて、その配管構造の大幅な簡易化、小型化を図ることができ、かつ、ミルクを流す通路の容積を充分に確保して、そのミルクを流す通路にサージタンク的な役割を持たせることのできる、パーラー用ミルカー（以下、ミルカーという）を提供することを目的としている。
【００１５】
【課題を解決するための手段】
上記目的を達成するために、本発明のミルカーは、ミルクを集めるレシーバー内を介して一端が互いに連通されたミルク搬送用のミルク通路及びサブミルク通路と、該サブミルク通路の他端に一端が連結された洗浄液搬送用の洗浄液通路と、該洗浄液通路の他端と前記ミルク通路の他端とを連結する連結通路と、洗浄液が貯留された槽内と前記洗浄液通路の一端とを連結する送液通路であって、槽内の洗浄液を前記洗浄液通路に送り込むための送液通路と、該送液通路と洗浄液通路とサブミルク通路との連結箇所に備えた三方切替え弁であって、前記サブミルク通路を閉じると共に、前記洗浄液通路と送液通路とを連通させたり、又は前記送液通路を閉じると共に、前記洗浄液通路とサブミルク通路とを連通させたりする三方切替え弁と、前記レシーバー内底部に溜まったミルクをミルク保存用のクーラーに移送したり、又は前記レシーバー内底部に溜まった洗浄液を前記槽内に移送したりする移送手段と、前記連結通路と洗浄液通路との連結箇所に備えた開閉絞り弁であって、連結通路と洗浄液通路との連結箇所を開閉したり、連結通路と洗浄液通路との連結箇所の開口度を広狭に調整したりする開閉絞り弁と、前記レシーバー内の気体を吸引する吸引手段と、搾乳ユニットと前記ミルク通路とを連結する第１サブ通路と、前記搾乳ユニットが着脱可能に装填されたティートカップウオッシャーと前記洗浄液通路とを連結する第２サブ通路と、該第２サブ通路を開閉する開閉弁とを備えたことを特徴としている。
【００１６】
このミルカーを用いて搾乳を行う場合には、搾乳ユニットをティートカップウオッシャーから離脱させて、搾乳ユニットのティートカップを牛等の乳房に装着する。また、開閉弁を操作して、第２サブ通路を閉じる。また、三方切替え弁を操作して、送液通路を閉じると共に、洗浄液通路とサブミルク通路とを連通させる。それと共に、開閉絞り弁を操作して、連結通路と洗浄液通路との連結箇所を広く開口させる。次いで、吸引手段を動作させて、レシーバー内の気体を吸引し続ける。
【００１７】
すると、ミルク通路、該通路に連結通路を介して連通された洗浄液通路、搾乳ユニット内に吸引力を発生させることができる。そして、搾乳ユニットにより牛等の乳房から搾り取ったミルクを、搾乳ユニットが連結された第１サブ通路を通して、ミルク通路に流入させることができる。そして、そのミルクを、該ミルクに加わる重力を利用して、勾配を持たせた洗浄液通路とミルク通路とを二手に分散させて、レシーバー内に流入させることができる。
【００１８】
その際には、洗浄液通路をミルク通路に兼用させて、ミルクを流す通路の容積を充分に確保し、ミルク通路及び洗浄液通路にサージタンク的な役割を持たせることができる。そして、そのミルク通路及び洗浄液通路をミルクを二手に分散させてレシーバー内に円滑に流入させたり、ミルク通路の下流側に接続された搾乳ユニットからミルク通路内にミルクを空気と共に抵抗少なく円滑に流入させたり、搾乳ユニットからミルク通路内にミルクと共に流入した空気をミルクと分離してミルク通路内の上部等を円滑に流通させて、ミルク通路内の気圧をほぼ均等化したりできる。
【００１９】
レシーバー内底部に溜まったミルクは、移送手段を用いて、ミルク保存用のクーラーに移送して、該クーラーに保存できる。
【００２０】
ミルクが通過するミルク通路、搾乳ユニット、第１サブ通路、洗浄液通路等を洗浄する場合には、搾乳ユニットをティートカップウオッシャーに装填する。また、開閉弁を操作して、第２サブ通路を開口させる。また、三方切替え弁を操作して、サブミルク通路を閉じると共に、洗浄液通路と送液通路とを連通させる。それと共に、開閉絞り弁を操作して、連結通路と洗浄液通路との連結箇所を狭く開口させる。次いで、吸引手段を動作させて、レシーバー内の気体を吸引し続ける。
【００２１】
すると、ミルク通路に吸引力を発生させることができる。それと同時に、ミルク通路及び連結通路を通して、洗浄液通路及びそれに連通する送液通路に吸引力を発生させることができる。そして、槽内の洗浄液を、送液通路、洗浄液通路、第２サブ通路、ティートカップウオッシャー内、搾乳ユニット内、第１サブ通路、ミルク通路を通して、レシーバー内へと循環させることができる。それと同時に、洗浄液通路を循環する洗浄液の一部を、狭く開口された連結通路と洗浄液通路との連結箇所、連結通路、ミルク通路を通して、レシーバー内へと循環させることができる。そして、ミルクが通過するミルク通路、搾乳ユニット、第１サブ通路、洗浄液通路、連結通路等を、洗浄液により洗浄できる。
【００２２】
搾乳ユニットを重点的に洗浄する場合には、上記の洗浄操作に加えて、開閉絞り弁を操作して、連結通路と洗浄液通路との連結箇所を閉じるか、又は連結通路と洗浄液通路との連結箇所を狭く開口させる。
【００２３】
すると、ミルク通路、第１サブ通路、搾乳ユニット内、ティートカップウオッシャー内及び第２サブ通路を通して、洗浄液通路及びそれに連通する送液通路に吸引力を発生させることができる。そして、槽内の洗浄液を、送液通路、洗浄液通路、第２サブ通路、ティートカップウオッシャー内、搾乳ユニット内、第１サブ通路、ミルク通路を通して、レシーバー内へと循環させることができる。その際には、開閉絞り弁を用いて、連結通路と洗浄液通路との連結箇所を閉じるか、又は連結通路と洗浄液通路との連結箇所を狭く開口させているため、洗浄液通路を循環する洗浄液が、連結通路を通して、ミルク通路へと循環するのを、阻止したり、又は洗浄液通路から連結通路を通してミルク通路へと循環する洗浄液の量を少なく抑えたりできる。そして、洗浄液通路を循環する洗浄液の全て又はそのほとんどを、搾乳ユニット内へと多量に循環させることができる。そして、その多量の洗浄液により、搾乳ユニットを完璧に洗浄できる。
【００２４】
ミルク通路を重点的に洗浄する場合には、上記の洗浄操作に加えて、開閉弁を操作して、第２サブ通路を閉じるか、又は開閉弁を操作せずに、第２サブ通路を開いたままの状態とすると共に、開閉絞り弁を操作して、連結通路と洗浄液通路との連結箇所を広く開口させる。
【００２５】
すると、ミルク通路及び連結通路を通して、洗浄液通路及びそれに連通する送液通路に吸引力を発生させることができる。そして、槽内の洗浄液を、送液通路、洗浄液通路、連結通路、ミルク通路を通して、レシーバー内へと循環させることができる。その際には、開閉弁を操作して、第２サブ通路を閉じているため、洗浄液通路を循環する洗浄液が、第２サブ通路、ティートカップウオッシャー内、搾乳ユニット内等へと循環するのを、阻止できる。又は開閉弁を操作せずに、第２サブ通路を開いたままの状態としていても、第２サブ通路、搾乳ユニット内、第１サブ通路等が流通抵抗高く小径等に形成されているため、洗浄液通路から、第２サブ通路、ティートカップウオッシャー内、搾乳ユニット内、第１サブ通路、ミルク通路を通して、レシーバー内へと循環する洗浄液を、少量に抑えることができる。そして、洗浄液通路を循環する洗浄液の全て又はそのほとんどを、開閉絞り弁を用いて広く開口させた連結通路と洗浄液通路との連結箇所及び連結通路を通して、ミルク通路へと多量に循環させることができる。そして、その多量の洗浄液により、ミルク通路を完璧に洗浄できる。
【００２６】
ミルク通路、搾乳ユニット、洗浄液通路、第１サブ通路等の洗浄に用いた洗浄液であって、レシーバー内底部に溜まった洗浄液は、移送手段を用いて、槽内に戻すことができる。そして、その洗浄液を繰り返し洗浄に用いることができる。
【００２７】
本発明のミルカーにおいては、送液通路に外気を間欠的に送り込むエアーインジェクタであって、送液通路からミルク通路に送り込む洗浄液をプラグ流とするエアーインジェクタを備えた構造とすることを好適としている。
【００２８】
このミルカーにあっては、エアーインジェクタを動作させて、送液通路に外気を間欠的に送り込むことができる。そして、その外気により、槽内から送液通路に吸い上げた洗浄液をプラグ流とすることができる。そして、そのプラグ流とした洗浄液を、送液通路に連通する洗浄液通路、連結通路、ミルク通路、第２サブ通路、ティートカップウオッシャー内、搾乳ユニット内、第１サブ通路等を循環させることができる。そして、そのプラグ流とした洗浄液により、ミルクが通過するミルク通路、連結通路、洗浄液通路、搾乳ユニット内、第１サブ通路の内壁をその上部等まで余すところなく完璧に洗浄できる。加えて、送液通路に間欠的に送り込む外気により、槽内の洗浄液が送液通路内に過度に吸い上げられて、槽内の洗浄液が空となるのを、防ぐことができる。
【００２９】
また、本発明のミルカーにおいては、開閉絞り弁に代えて、連結通路と洗浄液通路との連結箇所を開閉したり、連結通路と洗浄液通路との連結箇所の開口度を広狭に調整したりするサブ三方切替え弁を連結通路と洗浄液通路との連結箇所に備えて、該サブ三方切替え弁の２つの通路口を連結通路の端部と洗浄液通路の端部とに連結すると共に、サブ三方切替え弁の残りの１つの通路口にサブ三方切替え弁内を循環する洗浄液をプラグ流とするエアーインジェクタであって、サブ三方切替え弁内を循環する洗浄液に外気を間欠的に送り込むエアーインジェクタを備えた構造としても良い。
【００３０】
このミルカーにあっては、搾乳の際に、サブ三方切替え弁を操作して、連結通路と洗浄液通路との連結箇所を広く開口させることができる。そして、ミルク通路に流入するミルクを、ミルク通路と連結通路及びそれに連通する洗浄液通路とを二手に分散させてレシーバー内に円滑かつ的確に流入させたり、ミルク通路の下流側に接続された搾乳ユニットからミルク通路内にミルクを空気と共に抵抗少なく円滑に流入させたり、搾乳ユニットからミルク通路内にミルクと共に流入した空気をミルクと分離してミルク通路内の上部等を円滑に流通させて、ミルク通路内の気圧をほぼ均等化したりできる。
【００３１】
また、洗浄液通路、連結通路及びミルク通路等を洗浄する際には、サブ三方切替え弁を操作して、連結通路と洗浄液通路との連結箇所を狭く開口させることができる。そして、洗浄液が洗浄液通路から連結通路を通してミルク通路に過度に流れ込むのを防いで、洗浄液通路から第２サブ通路に流れ込む洗浄液の量を充分に確保できる。そして、その洗浄液により、搾乳ユニット、第１サブ通路等を完璧に洗浄できる。それと共に、サブ三方切替え弁に備えられたエアーインジェクタを動作させて、サブ三方切替え弁内を循環する洗浄液に外気を間欠的に送り込むことができる。そして、サブ三方切替内を循環する洗浄液をプラグ流とすることができる。そして、そのプラグ流とした洗浄液を、連結通路及びそれに連通するミルク通路に流入させることができる。そして、そのプラグ流とした洗浄液により、連結通路とミルク通路の内壁をそのＬ字状に折曲した箇所等をも余すところなく完璧に洗浄できる。
【００３２】
また、搾乳ユニットを重点的に洗浄する際には、サブ三方切替え弁を操作して、連結通路と洗浄液通路との連結箇所を閉じたり、又は連結通路と洗浄液通路との連結箇所を狭く開口したりできる。そして、洗浄液が洗浄液通路から連結通路を通してミルク通路に流れ込むのを阻止したり、又は洗浄液通路から連結通路を通してミルク通路に流れ込む洗浄液の量を少なく抑えたりできる。そして、洗浄液通路を流れる洗浄液を搾乳ユニット内へと多量に循環させて、その洗浄液により搾乳ユニットを完璧に洗浄できる。
【００３３】
また、ミルク通路を重点的に洗浄する際には、サブ三方切替え弁を操作して、連結通路と洗浄液通路との連結箇所を広く開口させることができる。そして、洗浄液通路を流れる洗浄液を、連結通路を通して、ミルク通路へと多量に流入させることができる。それと共に、サブ三方切替え弁に備えられたエアーインジェクタを動作させて、サブ三方切替え弁内を循環する洗浄液をプラグ流とすることができる。そして、その洗浄液をミルク通路に流入させて、そのプラグ流とした多量の洗浄液によりミルク通路を完璧に洗浄できる。
【００３４】
【発明の実施の形態】
次に、本発明の実施の形態を図面に従い説明する。
図１は本発明のミルカーの好適な実施の形態を示し、図１はその概略構造説明図である。以下に、このミルカーを説明する。
【００３５】
図のミルカーでは、ミルクを集める気密構造をしたタンク状のレシーバー２０の一方の側壁に、ミルク搬送用のミルク通路１０の一端が連結されている。レシーバー２０の他方の側壁には、ミルク搬送用のサブミルク通路１２の一端が連結されている。そして、ミルク通路１０の一端とサブミルク通路１２の一端とが、レシーバー２０内を介して、互いに連通している。
【００３６】
ミルク通路１０及びサブミルク通路１２は、約３インチの太めのパイプを用いて形成されている。そして、粘性のあるミルクを、ミルク通路１０及びサブミルク通路１２を円滑に搬送できるように構成されている。
【００３７】
サブミルク通路１２の他端には、洗浄液搬送用の洗浄液通路５０の一端が連結されている。洗浄液通路５０は、約２インチの細めのパイプを用いて形成されている。洗浄液通路５０の多くの部分は、ミルク通路１０とほぼ平行に並べて配設されている。
【００３８】
洗浄液通路５０の他端とミルク通路１０の他端とは、パイプからなる連結通路１６０を介して連結されている。
【００３９】
７０は、洗浄液６０が貯留されたタンク状の槽である。槽７０内と洗浄液通路５０の一端とは、パイプからなる送液通路１７０により連結されている。そして、その送液通路１７０を通して、槽７０内の洗浄液６０を洗浄液通路５０に送り込むことができるように構成されている。
【００４０】
送液通路１７０と洗浄液通路５０とサブミルク通路１２との連結箇所には、三方切替え弁１８０が備えられている。そして、その三方切替え弁１８０を操作することにより、図１（ｂ）の連結図のように、サブミルク通路１２を閉じると共に、洗浄液通路５０と送液通路１７０とを連通させたり、又は図１（ａ）の連結図のように、送液通路１７０を閉じると共に、洗浄液通路５０とサブミルク通路１２とを連通させたりできるように構成されている。
【００４１】
１１０は、移送手段であって、送液ポンプ、送液パイプ等から形成されている。移送手段１１０は、該手段を用いて、レシーバー２０内底部に溜まったミルクを、ミルク保存用のクーラー１２０に移送したり、又はレシーバー２０内底部に溜まった洗浄液６０を、槽７０内に戻したりできるように構成されている。
【００４２】
連結通路１６０と洗浄液通路５０との連結箇所には、開閉絞り弁１９０が備えられている。開閉絞り弁１９０の一方の通路口には、連結通路１６０の端部が連結され、開閉絞り弁１９０の他方の通路口には、洗浄液通路５０の端部が連結されている。そして、連結通路１６０の端部と洗浄液通路５０の端部とが、開閉絞り弁１９０内を通して、互いに連通されている。そして、開閉絞り弁１９０を操作することにより、連結通路１６０と洗浄液通路５０との連結箇所を開閉したり、又は連結通路１６０と洗浄液通路５０との連結箇所の開口度を広狭に調整したりできるように構成されている。
【００４３】
開閉絞り弁１９０が備えられた連結通路１６０と洗浄液通路５０との連結箇所は、高位置に配置され、レシーバー２０は、低位置に配置されている。そして、洗浄液通路５０と連結通路１６０及び該通路に連なるミルク通路１０とが、連結通路１６０と洗浄液通路５０との連結箇所からレシーバー２０に向けて所定の勾配を持たせて二股状に分岐させて配置されている。そして、ミルク通路１０に流入したミルクが、重力作用を受けて、所定の勾配を持つミルク通路１０と洗浄液通路５０とを二手に分散してレシーバー２０内に流れ込むように構成されている。
【００４４】
１００は、吸引手段であって、真空ポンプ等から形成されている。吸引手段１００は、該手段を動作させることにより、レシーバー２０内の空気等の気体を吸引できるように構成されている。
【００４５】
３０は、牛等の乳房に装着するティートカップ等が備えられた搾乳ユニットである。搾乳ユニット３０は、フレキシブルのホースからなる第１サブ通路４０を介して、ミルク通路１０の中途部に連結されている。
【００４６】
８０は、搾乳ユニット３０が着脱可能に装填されたティートカップウオッシャーである。ティートカップウオッシャー８０は、パイプからなる第２サブ通路９０を介して、ミルク通路１０と並べて配設された洗浄液通路５０の中途部に連結されている。
【００４７】
第２サブ通路９０には、ピンチコック等の開閉弁２００が備えられている。そして、その開閉弁２００を操作することにより、第２サブ通路９０を開閉できるように構成されている。
【００４８】
図１に示したミルカーは、以上のように構成されている。
このミルカーを用いて搾乳を行う場合には、搾乳ユニット３０をティートカップウオッシャー８０から離脱させる。そして、搾乳ユニット３０のティートカップを牛等の乳房に装着する。また、開閉弁２００を操作して、第２サブ通路９０を閉じる。また、三方切替え弁１８０を操作して、図１（ａ）の連結図のように、送液通路１７０を閉じると共に、洗浄液通路５０とサブミルク通路１２とを連通させる。それと共に、開閉絞り弁１９０を操作して、図１（ｃ）の連結図のように、連結通路１６０と洗浄液通路５０との連結箇所を広く開口させる。
【００４９】
次いで、吸引手段１００を動作させて、レシーバー２０内の気体を吸引し続ける。そして、ミルク通路１０、洗浄液通路５０、搾乳ユニット３０内に吸引力を発生させる。そして、搾乳ユニット３０により牛等の乳房から搾り取ったミルクを、搾乳ユニット３０が連結された第１サブ通路４０を通して、ミルク通路１０に流入させる。そして、そのミルクを、所定の勾配を持つミルク通路１０と洗浄液通路５０とを二手に分散させて、レシーバー２０内に流入させる。
【００５０】
レシーバー２０内底部に溜まったミルクは、移送手段１１０を用いて、ミルク保存用のクーラー１２０に移送して、該クーラー１２０に保存する。
【００５１】
ミルクが通過するミルク通路１０、搾乳ユニット３０、第１サブ通路４０、洗浄液通路５０等を洗浄する場合には、搾乳ユニット３０をティートカップウオッシャー８０に装填する。また、開閉弁２００を操作して、第２サブ通路９０を開口させる。また、三方切替え弁１８０を操作して、図１（ｂ）の連結図のように、サブミルク通路１２を閉じると共に、洗浄液通路５０と送液通路１７０とを連通させる。それと共に、開閉絞り弁１９０を操作して、図１（ｄ）の連結図のように、連結通路１６０と洗浄液通路５０との連結箇所を狭く開口させる。
【００５２】
次いで、吸引手段１００を動作させて、レシーバー２０内の気体を吸引し続ける。そして、ミルク通路１０、洗浄液通路５０及びそれに連通する送液通路１７０に吸引力を発生させる。そして、槽７０内の洗浄液６０を、送液通路１７０、洗浄液通路５０、第２サブ通路９０、ティートカップウオッシャー８０内、搾乳ユニット３０内、第１サブ通路４０、ミルク通路１０を通して、レシーバー２０内へと循環させる。それと同時に、洗浄液通路５０を循環する洗浄液の一部を、狭く開口された連結通路１６０と洗浄液通路５０との連結箇所、連結通路１６０、ミルク通路１０を通して、レシーバー２０内へと循環させる。そして、ミルクが通過するミルク通路１０、搾乳ユニット３０内、第１サブ通路４０、洗浄液通路５０等を、洗浄液６０により洗浄する。
【００５３】
搾乳ユニット３０を重点的に洗浄する場合には、上記の洗浄操作に加えて、開閉絞り弁１９０を操作して、図１（ｅ）の連結図のように、連結通路１６０と洗浄液通路５０との連結箇所を閉じるか、又は図１（ｄ）の連結図のように、連結通路１６０と洗浄液通路５０との連結箇所を狭く開口させる。そして、ミルク通路１０、第１サブ通路４０、搾乳ユニット３０内、ティートカップウオッシャー８０内及び第２サブ通路９０を通して、洗浄液通路５０及びそれに連通する送液通路１７０に吸引力を発生させる。そして、槽７０内の洗浄液６０を、送液通路１７０、洗浄液通路５０、第２サブ通路９０、ティートカップウオッシャー８０内、搾乳ユニット３０内、第１サブ通路４０、ミルク通路１０を通して、レシーバー２０内へと循環させる。その際には、洗浄液通路５０を循環する洗浄液６０が、開閉絞り弁１９０を用いて閉じた連結通路１６０と洗浄液通路５０との連結箇所を通して、ミルク通路１０へと循環するのを阻止したり、又は洗浄液通路５０を循環する洗浄液６０が、開閉絞り弁１９０を用いて狭く開口させた連結通路１６０と洗浄液通路５０との連結箇所を通して、ミルク通路１０へと循環する量を少なく抑えたりする。そして、洗浄液通路５０を循環する洗浄液６０の全て又はそのほとんどを、搾乳ユニット３０内へと多量に循環させる。そして、その多量の洗浄液６０を用いて、搾乳ユニット３０を完璧に洗浄する。
【００５４】
ミルク通路１０を重点的に洗浄する場合には、上記の洗浄操作に加えて、開閉弁２００を操作して、第２サブ通路９０を閉じるか、又は第２サブ通路９０を開口させたままの状態とすると共に、開閉絞り弁１９０を操作して、図１（ｃ）の連結図のように、連結通路１６０と洗浄液通路５０との連結箇所を広く開口させる。そして、ミルク通路１０、連結通路１６０及び広く開口させた連結通路１６０と洗浄液通路５０との連結箇所を通して、洗浄液通路５０及びそれに連通する送液通路１７０に吸引力を発生させる。そして、槽７０内の洗浄液６０を、送液通路１７０、洗浄液通路５０、連結通路１６０、ミルク通路１０を通して、レシーバー２０内へと循環させる。その際には、洗浄液通路５０を循環する洗浄液６０が、開閉弁２００を用いて閉じた第２サブ通路９０を通して、ティートカップウオッシャー８０内、搾乳ユニット３０内等へと循環するのを、阻止する。又は洗浄液通路５０を循環する洗浄液６０が、流通抵抗の高い開口させたままの状態とした第２サブ通路９０、ティートカップウオッシャー８０内、搾乳ユニット３０内、第１サブ通路４０、ミルク通路１０を通して、レシーバー２０内へと循環する量を少なく抑える。そして、洗浄液通路５０を循環する洗浄液６０を、ミルク通路１０へと多量に循環させる。そして、その多量の洗浄液６０により、ミルク通路１０を完璧に洗浄する。
【００５５】
ミルク通路１０、洗浄液通路５０、連結通路１６０、搾乳ユニット３０、第１サブ通路４０等の洗浄に用いた洗浄液であって、レシーバー２０内底部に溜まった洗浄液６０は、移送手段１１０を動作させて、槽７０内に戻す。そして、その洗浄液６０を、繰り返し洗浄に用いる。
【００５６】
なお、上述のミルカーにおいては、図１に示したように、送液通路１７０に外気を間欠的に送り込むエアーインジェクタ２１０であって、送液通路１７０から洗浄液通路５０、連結通路１６０及びミルク通路１０に送り込む洗浄液６０をプラグ流とするエアーインジェクタ２１０を備えると良い。エアーインジェクタ２１０は、送液通路１７０内と外気中とを連通する連通管と、該管を開閉する電磁弁等から形成すると良い。外気は、洗浄操作の際に送液通路１７０に発生する吸引力を用いて、連結管を通して、送液通路１７０に送り込むと良い。
【００５７】
そして、エアーインジェクタ２１０を用いて、槽７０内から送液通路１７０に吸い上げた洗浄液６０をプラグ流とすると良い。そして、その洗浄液６０を、送液通路１７０に連通する洗浄液通路５０、連結通路１６０、ミルク通路１０、第２サブ通路９０、ティートカップウオッシャー８０内、搾乳ユニット３０内及び第１サブ通路４０を循環させると良い。そして、そのプラグ流とした洗浄液６０により、ミルクが通過する洗浄液通路５０、連結通路１６０、ミルク通路１０、搾乳ユニット３０内、第１サブ通路４０をその内壁の上部等までも余すところなく完璧に洗浄できるようにすると良い。加えて、エアーインジェクタ２１０を用いて送液通路１７０に間欠的に送り込む外気により、送液通路１７０に吸い上げられる洗浄液６０にブレーキをかけて、槽７０内の洗浄液６０が送液通路１７０内に過度に吸い上げられて、槽７０内の洗浄液６０が空となるのを、防ぐと良い。
【００５８】
また、上述のミルカーにおいては、図２に示したように、開閉絞り弁１９０に代えて、連結通路１６０と洗浄液通路５０との連結箇所を開閉したり、連結通路１６０と洗浄液通路５０との連結箇所の開口度を広狭に調整したりするサブ三方切替え弁１９２を、連結通路１６０と洗浄液通路５０との連結箇所に備えても良い。そして、サブ三方切替え弁１９２の２つの通路口に連結通路１６０の端部と洗浄液通路５０の端部とを連結しても良い。それと共に、そのサブ三方切替え弁１９２の残りの１つの通路口にサブ三方切替え弁１９２内を循環する洗浄液６０をプラグ流とするエアーインジェクタ２１２であって、サブ三方切替え弁１９２内を循環する洗浄液６０に外気を間欠的に送り込むエアーインジェクタ２１２を備えても良い。
【００５９】
このサブ三方切替え弁１９２を備えたミルカーにあっては、搾乳の際に、サブ三方切替え弁１９２を操作して、図２（ｇ）の連結図のように、連結通路１６０と洗浄液通路５０との連結箇所を広く開口できる。そして、ミルク通路１０に流入したミルクを、ミルク通路１０と連結通路１６０及びそれに連通する洗浄液通路５０とを二手に分散させて、レシーバー２０内へと流入させることができる。
【００６０】
また、洗浄液通路５０、連結通路１６０及びミルク通路１０等を洗浄する際には、サブ三方切替え弁１９２を操作して、図２（ｈ）の連結図のように、連結通路１６０と洗浄液通路５０との連結箇所を狭く開口できる。それと共に、エアーインジェクタ２１２を動作させて、サブ三方切替え弁１９２内を循環する洗浄液６０に外気を間欠的に送り込むことができる。そして、サブ三方切替え弁１９２内を通して洗浄液通路５０から連結通路１６０及びミルク通路１０へと循環する洗浄液６０をプラグ流とすることができる。そして、そのプラグ流とした洗浄液６０により、連結通路１６０とミルク通路１０の内壁をそのＬ字状に折曲した箇所等をも余すところなく完璧に洗浄できる。
【００６１】
また、搾乳ユニット３０を重点的に洗浄する際には、サブ三方切替え弁１９２を操作して、連結通路１６０と洗浄液通路５０との連結箇所を閉じたり、又は連結通路１６０と洗浄液通路５０との連結箇所を狭く開口したりできる。そして、洗浄液６０が洗浄液通路５０から連結通路１６０を通してミルク通路１０に流れ込むのを阻止したり、又は洗浄液通路５０から連結通路１６０を通してミルク通路１０に流れ込む洗浄液６０の量を少なく抑えたりできる。そして、洗浄液通路５０を流れる洗浄液６０を搾乳ユニット３０内へと多量に循環させて、搾乳ユニット３０を完璧に洗浄できる。
【００６２】
また、ミルク通路１０を重点的に洗浄する際には、サブ三方切替え弁１９２を操作して、連結通路１６０と洗浄液通路５０との連結箇所を広く開口させることができる。そして、洗浄液通路５０を流れる洗浄液６０を、連結通路１６０を通して、ミルク通路１０へと多量に流入させることができる。それと共に、エアーインジェクタ２１２を動作させて、サブ三方切替え弁１９２内を循環する洗浄液６０をプラグ流とし、その洗浄液６０を連結通路１６０及びミルク通路１０に流入させることができる。そして、そのプラグ流とした多量の洗浄液６０によりミルク通路１０を完璧に洗浄できる。
【００６３】
【発明の効果】
以上説明したように、本発明のミルカーによれば、ミルク通路の一部を、洗浄液通路に兼用できる。そして、ミルクを流す通路を、ミルク通路と洗浄液通路とに二股状に長く形成して、ミルクを流す通路の容積を充分に確保できる。そして、ミルク通路と洗浄液通路とに、サージタンク的な役割を持たせることができる。そして、ミルクをミルク通路と洗浄液通路とを二手に分散させてレシーバー内に円滑に流入させたり、ミルク通路の下流側に接続された搾乳ユニットからミルク通路内にミルクを空気と共に抵抗少なく円滑に流入させたり、搾乳ユニットからミルク通路内にミルクと共に流入した空気をミルクと分離してミルク通路内の上部等を円滑に流通させて、ミルク通路内の気圧をほぼ均等化したりできる。それと共に、洗浄液通路をミルク通路に連結するための第３サブ通路や該通路を開閉する第１開閉バルブ等を不要とすることができる。そして、その配管構造の大幅な簡易化、小型化が図れる。そして、その製造の容易化と、そのメンテナンスの容易化とが図れる。
【００６４】
また、開閉絞り弁又はサブ三方切替え弁を操作して、ミルク通路に洗浄液を重点的に多量に循環させたり、又は搾乳ユニット内に洗浄液を重点的に多量に循環させたりできる。そして、そのミルク通路又は搾乳ユニットを重点的に効率良く完璧に洗浄できる。
【図面の簡単な説明】
【図１】本発明のミルカーの概略構造説明図である。
【図２】本発明のミルカーの一部概略構造説明図である。
【図３】従来のミルカーの概略構造説明図である。
【符号の説明】
１０  ミルク通路
１２  サブミルク通路
２０  レシーバー
３０  搾乳ユニット
４０  第１サブ通路
５０  洗浄液通路
６０  洗浄液
７０  槽
８０  ティートカップウオッシャー
９０  第２サブ通路
１００  吸引手段
１１０  移送手段
１２０  クーラー
１３０  第３サブ通路
１４０  第１開閉バルブ
１５０  第２開閉バルブ
１６０  連結通路
１７０  送液通路
１８０  三方切替え弁
１９０  開閉絞り弁
１９２  サブ三方切替え弁
２００  開閉弁
２１０、２１２、２１４、２２０  エアーインジェクタ
【図１】
0003716595.tif 000002
【図２】
0003716595.tif 000003
【図３】
0003716595.tif 000004